(57)【特許請求の範囲】
【請求項１】
電子番組情報と映像情報とを伴うデジタル放送信号を選局する選局手段と、
前記選局手段が選局したデジタル放送信号の前記映像情報と前記電子番組情報とを復調し、この復調した映像信号と電子番組信号とをそれぞれ出力する復調手段と、
前記復調手段が復調した電子番組信号のうち、現在受信している番組はクローズド・キャプション形式の電子番組信号に、それ以外の番組表はテキスト形式の電子番組信号に変換する変換手段と、
前記復調手段が出力した前記映像信号に、前記変換手段が変換した前記クローズド・キャプション形式の電子番組信号、又は、前記テキスト形式の電子番組信号を重畳して出力する重畳手段とを具備することを特徴とするデジタル情報受信装置。
【請求項２】
電子番組情報と映像情報とを伴うデジタル放送信号を選局する選局工程と、
前記選局工程で選局したデジタル放送信号の前記映像情報と前記電子番組情報とを復調し、この復調した映像信号と電子番組信号とをそれぞれ出力する復調工程と、
前記復調工程で復調した電子番組信号のうち、現在受信している番組はクローズド・キャプション形式の電子番組信号に、それ以外の番組表はテキスト形式の電子番組信号に変換する変換工程と、
前記復調工程で出力した前記映像信号に、前記変換工程で変換した前記クローズド・キャプション形式の電子番組信号、又は、前記テキスト形式の電子番組信号を重畳して出力する重畳工程とを具備することを特徴とするデジタル情報受信方法。
【発明の詳細な説明】
【０００１】
【発明の属する技術分野】
この発明は、デジタル放送受信装置に関し、特に電子番組情報を扱うデジタル放送受信装置とデジタル放送受信方法及びこれを用いたテレビジョン装置と光ディスク装置に関する。
【０００２】
【従来の技術】
最近、テレビ放送の番組関連情報を画面上に表示するＥＰＧ（電子番組情報Electronic Program Guide）がデジタル放送受信装置やテレビジョン装置等において実用化されている。
【０００３】
このＥＰＧ情報は、従来の地上波放送などアナログ伝送システムにおいては、映像信号のＶＢＩ(垂直帰線消去期間 Vertical Blanking Interval)に重畳して伝送する方法が用いられている。又、デジタル衛星放送などのデジタル伝送システムにおいては、ＥＰＧ情報は専用のデータパケットとしてデジタル伝送される。いずれの場合も受信機側でＥＰＧ情報を解読して画面上に番組表や番組関連情報を表示させるものである。
【０００４】
しかしながら、上記した従来技術においては、デジタル放送で伝送されたＥＰＧ情報は、アナログ方式のＶＴＲ等では記録することはできない。番組表や番組情報がオンスクリーン表示された状態の映像を記録することは可能であるが、この場合は再生時に表示をオン・オフする等の操作は不可能である。
【０００５】
又、アナログ放送においてＶＢＩに重畳されたＥＰＧ情報についても、信号フォーマットによってはアナログ方式のＶＴＲ等では完全な形でデータを記録・再生することは困難であり、デジタル放送のＥＰＧと同様、再生時に番組表や番組情報を呼び出すことができない場合がある等の問題がある。
【０００６】
一方、特開２００１−８１６１号公報に示されるような、テレテキスト情報をクローズド・キャプションに変換して活用する受信装置が示されている。しかしながら、これらの受信装置は、ＥＰＧ情報を扱う技術を示すものではなく、通常のビデオレコーダでは、デジタル放送等のＥＰＧ情報を録画することができないので、再生時に番組情報を表示することができないという問題がある。
【０００７】
【発明が解決しようとする課題】
すなわち、デジタル放送の際に送信されるＥＰＧ情報は、番組表や番組情報をオンスクリーン表示として録画することは可能であるが、映像を再生する際にユーザの操作に応じてＥＰＧ情報の特定の情報を表示したり非表示にするという通常のＥＰＧ情報としての操作を行うことができないという問題がある。
【０００８】
本発明は、電子番組情報（ＥＰＧ情報）をアナログ映像信号として記録し再生することが可能な、電子番組情報が重畳された映像信号を生成するデジタル放送受信装置及びデジタル放送受信方法とテレビジョン装置と光ディスク装置とを提供することを目的とする。
【０００９】
【課題を解決するための手段】
本発明は、上記課題を解決するべく、電子番組情報と映像情報とを伴うデジタル放送信号を選局する選局手段と、前記選局手段が選局したデジタル放送信号の前記映像情報と前記電子番組情報とを復調し、この復調した映像信号と電子番組信号とをそれぞれ出力する復調手段と、前記復調手段が復調した電子番組信号のうち、現在受信している番組はクローズド・キャプション形式の電子番組信号に、それ以外の番組表はテキスト形式の電子番組信号に変換する変換手段と、前記復調手段が出力した前記映像信号に、前記変換手段が変換した前記クローズド・キャプション形式の電子番組信号、又は、前記テキスト形式の電子番組信号を重畳して出力する重畳手段とを具備することを特徴とするデジタル情報受信装置である。
【００１０】
すなわち、本発明に係るデジタル情報受信装置は、電子番組情報すなわちＥＰＧ情報を受信し復調すると、ＥＰＧ情報に応じた表示を単に映像上に表示して録画させるのではなく、ＥＰＧ情報のまま、クローズド・キャプション形式に変換して、又は、テキスト形式に変換して、映像信号のＶＢＩ(垂直帰線消去期間 Vertical Blanking Interval)領域に重畳させるものである。これにより、クローズド・キャプションの字幕情報と同様にＥＰＧ情報を扱うことができ、再生時に表示をオン・オフしたり、ＥＰＧ情報の中の任意の情報を表示させたりすることが可能となる。
【００１１】
【発明の実施の形態】
以下、図面を参照しながら本発明に係る各実施形態について詳細に説明する。
【００１２】
＜第１実施形態であるデジタル放送受信装置＞
第１実施形態は、本発明に係るデジタル放送受信装置を提供するものである。図１は、本発明に係る第１実施形態であるデジタル放送受信装置の一例を示すブロック図、図４は、本発明に係る番組信号復調回路の構成の一例を示すブロック図、図５は、本発明に係る番組信号重畳回路の構成の一例を示すブロック図、図６は、本発明に係るＥＰＧ変換の処理の一例を示すフローチャート、図７は、本発明に係るＥＰＧ変換の処理の他の一例を詳細に示すフローチャート、図８は、本発明に係るビデオ信号の垂直帰線消去期間とクローズド・キャプション信号とを示すグラフである。
【００１３】
本発明に係るデジタル放送受信装置は、以下に詳細に説明するように、デジタル放送に含まれる電子番組情報であるＥＰＧ情報をクローズド・キャプション信号に変換して、例えば外部のレコーダ２２に記録させるものである。本発明に係るデジタル放送受信装置Ａは、一例として、図１に示すように、衛星アンテナ１１が接続される選局回路１２と、選局されたデジタル放送信号の出力を受ける復調・誤り訂正回路１３と、復調処理及び誤り訂正処理が施された出力信号を受けるパケット分離回路１４とを有している。更に、このパケット分離回路１４により分離された所望の番組のパケットが供給されるＭＰＥＧ２デコード回路１５と、デコードされた映像信号が供給されるオンスクリーンディスプレイＯＳＤ（On Screen Display）回路１６とを有しており、この出力が視聴用出力端子２３に出力される。視聴用出力端子２３は、外部のディスプレイ等の表示機器１７に接続されている。
【００１４】
一方、更に、デジタル放送受信装置Ａは、パケット分離回路１４から番組情報を含むＥＰＧ情報が供給される番組信号／ＣＣ復調回路１８と、この復調された出力が供給されるマイクロコンピュータ１９と、この出力を受ける番組信号重畳回路２０とを有している。マイクロコンピュータ１９は、操作部２１に接続されて操作信号を供給される。番組信号重畳回路２０は、ＭＰＥＧデコード回路１５から映像信号が供給されている。又、ＯＳＤ回路１６は、マイクロコンピュータ１９からＥＰＧ情報のうち合成されるべき信号が供給されている。又、番組信号重畳回路２０の出力は、録画用出力端子２４に接続され、更に、例えば外部のＶＴＲ（Video Tape Recorder）や記録機能をもった光ディスク装置等の記録再生機能を有する記録再生機器２２に接続される。
【００１５】
マイクロコンピュータ１９は、内部にＲＯＭ２５やＲＡＭ２６、ＣＰＵ２７等を有しており、上述した各部のユニットに接続されて全体の動作を司っている。
【００１６】
又、更に、図４に示すように、番組信号／ＣＣ復調回路１８は、ＰＳＩ／ＳＩデータが供給されるＰＳＩ／ＳＩデータ処理部４１と、この出力に接続される番組信号抽出部４２とを有している。更に、図５に示すように、番組信号重畳回路２０は、ビデオ信号が供給されるクランプ部４３とこの出力が接続される加算部４４を有しており、更にビデオ信号が供給される同期分離部４５と、この出力及び電子番組信号が供給されるタイミング処理部４６、この出力が供給されるＤ／Ａ部４７、この出力が接続されるフィルター部４８とを有している。又、フィルター部４８の出力は加算部４４に供給される。
【００１７】
（動作）
このような構成を有する本発明に係るデジタル放送受信装置Ａにおいて、以下に動作を詳細に説明する。衛星アンテナ１１で受信され周波数変換されたデジタルテレビジョン放送データは、選局回路１２で選局され、復調・誤り訂正回路１３にて復調処理及び誤り訂正処理が施される。
【００１８】
パケット分離回路１４は、入力されたトランスポートストリームに対してパケット分離処理を施し、所望の番組のパケットをＭＰＥＧ２デコード回路１５に出力すると共に、番組情報を含むＥＰＧ情報を番組信号／ＣＣ復調回路１８に出力する。ＭＰＥＧ２デコード回路１５では、選択されたパケットの映像・音声のデコードを行う。
【００１９】
一方、番組信号／ＣＣ復調回路１８では、入力されたＥＰＧ情報を復調して電子番組信号を出力する。復調された電子番組信号はマイクロコンピュータ１９に供給されて処理され、マイクロコンピュータ１９は、操作部２１からの指令に基いて電子番組信号から所望の番組情報表示信号を生成し、オンスクリーンディスプレイＯＳＤ（On Screen Display）回路１６に出力する。ＯＳＤ回路１６では、映像の例えば通常、字幕が表示される領域に、番組のタイトル等の番組情報が表示されるべく、デコードされた映像信号に番組情報表示信号を合成して視聴用出力端子２３に出力する。
【００２０】
一方、マイクロコンピュータ１９は、図６のフローチャートが示すように、操作部２１からの指令がＥＰＧ変換を行うことを指示していれば（Ｓ１１）、供給された電子番組信号のうち、現在受信中の番組の電子番組信号をクローズド・キャプション形式の信号に変換する（Ｓ１２）。そして変換されたクローズド・キャプション形式の信号を番組信号重畳回路２０へ供給する（Ｓ１３）。番組信号重畳回路２０では、入力されたクローズド・キャプション形式の電子番組信号を、ＭＰＥＧデコード回路１５から入力された映像信号の垂直帰線消去期間ＶＢＩに重畳し、録画用出力端子２４から出力する。
【００２１】
録画用出力端子２４に接続された記録再生機器１２、例えば、ＶＴＲであるとか記録再生が可能な光ディスク装置は、このクローズド・キャプション形式の電子番組信号を伴う映像信号を記録する。クローズド・キャプション信号は５０３ｋＨｚのクロックを基準としており、従来のアナログ形式ＶＴＲでも、データを損なうことなく記録・再生することが可能である。従って、映像信号のＶＢＩ(垂直帰線消去期間 Vertical Blanking Interval）に重畳されたクローズド・キャプション形式の番組情報は、通常の記録再生機器によって記録・再生可能であり、再生時にテレビ等の表示機器または記録再生機器等に内蔵されたクローズド・キャプション・デコーダによってデコードし、画面上に表示することが可能となる。
【００２２】
以上、詳細に説明したように、第１実施形態に係るデジタル放送受信装置においては、デジタル放送等の電子番組情報であるＥＰＧ情報等を、従来のアナログ形式ＶＴＲ等で記録することが可能となり、記録した映像信号の再生時にはユーザの操作に応じてＥＰＧ情報を画面上に表示させたり非表示にしたり、又、特定の情報を表示させることが可能となる。
【００２３】
（ＶＢＩとクローズド・キャプション信号）
ここで垂直帰線消去期間ＶＢＩとクローズド・キャプション信号を図８を用いて説明する。図８の（ａ）が示す垂直帰線消去期間ＶＢＩは、例えば第１フィールドと第２フィールドとに分けられる５２５本の走査線のうち、画面上に現れない第１フィールドのライン１からライン２１と、第２フィールドのライン２６４からライン２８４とを占めている。ここで、クローズド・キャプション信号に利用されるのは第１フィールドのライン２１と、第２フィールドのライン２８４である。一例として、第１フィールドのライン２１にデータチャンネル１，２が、第２フィールドのライン２８４にデータチャンネル３，４が振り当てられる。
【００２４】
又、図８の（ｂ）は、クローズド・キャプション信号の一例であり、図中のキャプション信号の第１バイトデータと第２バイトデータに本発明に係る変換されたＥＰＧ情報が格納されるものである。このとき、各データの先頭に、データチャンネルとして、例えば、“００”とか“０１”等の識別情報が与えられ、これにより、データチャンネルごとのデータの管理が可能となる。
【００２５】
（変形例）
なお、ここでは、ＥＰＧ情報の中から現在受信中の番組の情報のみをクローズド・キャプション形式に変換して出力する場合を例に述べたが、現在受信中の番組以外の番組表情報等を変換することも可能であるし、全てのＥＰＧ情報を変換することも可能である。
【００２６】
この場合、現在の番組情報はキャプション形式、番組表情報はテキスト形式で重畳することが可能である。更に、クローズド・キャプションの拡張仕様であるＸＤＳ（Extended Data Services）形式に変換して重畳することも可能である。
【００２７】
（初めからクローズド・キャプション信号が存在する場合）
ＥＰＧ情報をクローズド・キャプション形式のデータに変換する際、映像情報に初めからクローズド・キャプション信号が存在する場合がある。このときの処理を以下に説明する。
【００２８】
図７に示すフローチャートにおいて、操作部２１からＥＰＧ変換が指示されている場合（Ｓ２１）、マイクロコンピュータ１９の処理において、番組信号／ＣＣ復調回路１８により映像信号にクローズド・キャプションが検出されなければ（Ｓ２２）、先に説明したように、ＥＰＧ情報をキャプション１のデータに変換して二つのキャプション情報を合成し（Ｓ２３）、番組信号重畳回路２０へと供給する（Ｓ２４）。ここで、映像情報に初めから存在するするクローズド・キャプション信号が検出されたとき（Ｓ２２）、以下に示すように、新たに変換するＥＰＧ情報のクローズド・キャプション信号が同一のチャンネルデータとならないように変換する必要がある。
【００２９】
すなわち、キャプション１のデータがなければ（Ｓ２５）、ＥＰＧ情報をキャプション１のデータとして変換して（Ｓ２６）、初めからあるキャプション信号とＥＰＧ情報の変換したキャプション信号とを合成する（Ｓ２７）。キャプション１のデータがあり、キャプション２のデータがなければ（Ｓ２８）、ＥＰＧ情報をキャプション２のデータとして変換して（Ｓ２９）、初めからあるキャプション信号とＥＰＧ情報の変換したキャプション信号とを合成する（Ｓ２７）。キャプション２のデータがあり、キャプション３のデータがなければ（Ｓ３０）、ＥＰＧ情報をキャプション３のデータとして変換して（Ｓ３１）、初めからあるキャプション信号とＥＰＧ情報の変換したキャプション信号とを合成する（Ｓ２７）。キャプション３のデータがあり、キャプション４のデータがなければ（Ｓ３２）、ＥＰＧ情報をキャプション４のデータとして変換して（Ｓ３３）、初めからあるキャプション信号とＥＰＧ情報の変換したキャプション信号とを合成する（Ｓ２７）。
【００３０】
更に、キャプション４のデータがあり、テキスト１のデータがなければ（Ｓ３４）、ＥＰＧ情報をテキスト１のデータとして変換して（Ｓ３５）、初めからあるキャプション信号とＥＰＧ情報の変換したキャプション信号とを合成する（Ｓ２７）。テキスト１のデータがあり、テキスト２のデータがなければ（Ｓ３６）、ＥＰＧ情報をテキスト２のデータとして変換して（Ｓ３７）、初めからあるキャプション信号とＥＰＧ情報の変換したキャプション信号とを合成する（Ｓ２７）。テキスト２のデータがあり、テキスト３のデータがなければ（Ｓ３８）、ＥＰＧ情報をテキスト３のデータとして変換して（Ｓ３９）、初めからあるキャプション信号とＥＰＧ情報の変換したキャプション信号とを合成する（Ｓ２７）。テキスト３のデータがあり、テキスト４のデータがなければ（Ｓ４０）、ＥＰＧ情報をテキスト４のデータとして変換して（Ｓ４１）、初めからあるキャプション信号とＥＰＧ情報の変換したキャプション信号とを合成する（Ｓ２７）。キャプション１乃至４及びテキスト１乃至４が存在するときは、重畳処理を行わないこととする。
【００３１】
このように、映像信号中に初めから存在する字幕等のクローズド・キャプション信号が重畳されている場合は、そのデータチャンネル（ＣＡＰＴＩＯＮ１、２、３、４、ＴＥＸＴ１、２、３、４、ＸＤＳ）とは異なるデータチャンネルにＥＰＧ情報を重畳することにより、初めの字幕情報等を保持したまま番組情報を更に重畳し活用することができる。
【００３２】
＜第２実施形態であるテレビジョン装置＞
第２実施形態は、第１実施形態で示したデジタル放送受信装置と同等の作用効果を有するテレビジョン装置を提供するものである。図２は、本発明に係る第２実施形態であるテレビジョン装置の一例を示すブロック図である。
【００３３】
本発明に係るテレビジョン装置Ｂは、第１実施形態に係るデジタル放送受信装置に共通する構造と動作とを有しており、説明を省略する。ここで、表示部１７ｂがＯＳＤ回路１６から直接、映像信号が供給されており、操作部２１からの操作に応じて、ＥＰＧ情報の表示をオン・オフすることができる。更に、ＥＰＧ情報の特定の情報、例えば、１週間の番組表等の表示指示を受けると、この情報だけを映像情報に合成させて画面中に表示することができる。
【００３４】
一方、第１実施形態のデジタル放送受信装置と同様の処理を行うことにより、ＥＰＧ情報をクローズド・キャプション信号に変換して、録画可能な映像信号として録画用出力端子２４から出力することにより、録画された映像信号を再生する際に、操作に応じてＥＰＧ情報を自由に表示させたり非表示とすることが可能となる。
【００３５】
＜第３実施形態である光ディスク装置＞
第３実施形態は、第１実施形態で示したデジタル放送受信装置と同等の作用効果を有する光ディスク装置を提供するものである。図３は、本発明に係る第３実施形態であるデジタル放送チューナを搭載した光ディスク装置の一例を示すブロック図である。
【００３６】
本発明に係る光ディスク装置Ｃは、第１実施形態に係るデジタル放送受信装置のレシーバ機能を有する光ディスクの記録再生装置であり、デジタル放送受信装置と共通する構造と動作を有しており、これらの共通事項についての説明を省略する。光ディスク装置Ｃは、上述したデジタル放送受信装置の構成以外に、更に、光ディスクＤを所定回転数で回転させる回転モータ５１と、光ピックアップヘッド５４と、これを駆動するアクチュエータのアクチュエータドライバ５３を有している。更に、このアクチュエータの制御を行うべくアクチュエータドライバ５３に接続されるサーボ制御系各処理回路５５を有しており、更に、回転モータ５１やサーボ制御系各処理回路５５を制御するサーボ制御部５２を有している。
【００３７】
更に、光ピックアップヘッド５４のヘッドアンプからの信号を受けて信号処理を行う信号処理部５６と、ここから処理信号が供給される読み取りバッファ５７と、データ処理部５８とを有する。データ処理部５８では、検出した信号の復調処理や記録させる信号の変調処理を行う変調復調部や、エラー訂正部、更に、先のクローズド・キャプション信号を復調するクローズド・キャプション・デコーダＣＣＤを有しており、再生される映像信号中のクローズド・キャプション信号を復調して、操作部２１からの指示に応じたＥＰＧ情報を表示したり、初めからあるクローズド・キャプション情報を表示したりする。更に、データ処理部５８は、番組信号重畳回路２０からクローズド・キャプション形式に変換されたＥＰＧ情報が重畳された映像信号が供給される。更に、書き込みの際に書き込みパワーを決定する書き込みパワー制御部６３と、これにより制御されピックアップヘッド５４中のレーザダイオードに駆動信号を供給するＬＤ駆動回路６４とを有している。
【００３８】
このような構成を有する光ディスク装置Ｃにおいては、操作部２１の操作信号に応じて、マイクロコンピュータ１９の制御下により、ＣＰＵ２７はＲＡＭ２６を作業エリアとして使用し、ＲＯＭ２７に記録された本発明のＥＰＧ情報の処理を含むプログラムに従って所定の動作を行う。
【００３９】
すなわち、アクチュエータドライバ５３で制御される光ピックアップ５４から出力されたレーザ光は、回転モータ５１で回転される光ディスクＤに照射される。光ディスクＤからの反射光は、ヘッドアンプで電気信号に変えられる。この電気信号は、信号処理部５６に入力される。信号処理部５６には、ＲＦアンプなどが含まれる。
【００４０】
又、サーボ制御系各処理回路５５には、上述した対物レンズ誘導回路やフォーカス制御回路、対物レンズ駆動信号切替器、対物レンズ駆動回路やウォブル（ＷＢ）信号検出部等が含まれており、サーボ制御部５２の働きに応じて、光ディスクの面ぶれを排除して安定したフォーカス引き込み動作等を行う。この動作に併せて、ウォブル信号も検出され、これに応じて生成された書込みクロックは、読取りバッファ５７に供給される。
【００４１】
データ書込み動作時は、上述した方法によりＥＰＧ情報が重畳された映像信号がデータ処理部５８に供給され、これに誤り検出符号（ＥＤＣ）やＩＤを付加し、記録パワー制御部６３に送る。更に、記録パワー制御部６３では、記録速度に最適の記録ストラテジが決定され、これによってレーザダイオード駆動回路６４を用いて光ディスクに信号を記録する。
【００４２】
読出し時は、光ピックアップ５４のヘッドアンプから読出されたＲＦ信号は、最適イコライザを通して、読取りバッファ５７とＰＬＬ回路に送られる。ＰＬＬ回路で作られた読出しクロックで、読取りバッファ５７にチャンネルデータが読み取られる。読み取られたデータは、エンコーダ、デコーダ、ＥＣＣ回路等を含むデータ処理部５８で、同期化されシンボルデータが読出される。その後、誤り訂正やデスクランブル処理が行われて表示装置１７に表示可能な映像信号として出力される。
【００４３】
映像信号の中に上述したクローズド・キャプション情報が含まれていれば、データ処理部５８中のクローズド・キャプション・デコーダＣＣＤにより、再生される映像信号中のクローズド・キャプション信号を復調し、映像情報の所定の領域にＥＰＧ情報が表示されるように映像信号にこれを合成して出力される。これにより、表示機器１７に、操作部２１からの指示に応じたＥＰＧ情報を映像中に表示したり、初めから存在していたクローズド・キャプション情報を表示させることが可能となる。
【００４４】
以上述べたように、本発明に係る光ディスク装置Ｃにおいても、第１及び第２実施形態の場合と同様に、電子番組情報（ＥＰＧ情報）をアナログ映像信号として記録し再生することが可能となるため、再生時において、自在にＥＰＧ情報を活用することが可能な光ディスク装置を提供することができる。
【００４５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４６】
例えは、本発明は、テレビジョンやセットトップボックスなどの映像機器の他に、デジタルカメラやＰＣ（Personal Computer）など映像出力を持った他の機器にも応用することが可能である。すなわち、特定の情報をクローズド・キャプション信号形式に変換して重畳することにより、通常のビデオレコーダで記録・再生することができ、選択的に情報を表示させることが可能となる。
【００４７】
【発明の効果】
以上詳述したように本発明によれば、ＥＰＧ情報をクローズド・キャプション形式に変換し、映像信号に重畳して出力することにより、通常のアナログビデオレコーダでもＥＰＧ情報を記録することが可能となり、再生時にＥＰＧ情報を十分活用することが可能となるデジタル放送受信装置とその方法、及びこれを用いたテレビジョン装置、光ディスク装置等を提供することができる。
【図面の簡単な説明】
【図１】本発明に係る第１実施形態であるデジタル放送受信装置の一例を示すブロック図。
【図２】本発明に係る第２実施形態であるテレビジョン装置の一例を示すブロック図。
【図３】本発明に係る第３実施形態であるデジタル放送チューナを搭載した光ディスク装置の一例を示すブロック図。
【図４】本発明に係る番組信号復調回路の構成の一例を示すブロック図。
【図５】本発明に係る番組信号重畳回路の構成の一例を示すブロック図。
【図６】本発明に係るＥＰＧ変換の処理の一例を示すフローチャート。
【図７】本発明に係るＥＰＧ変換の処理の他の一例を詳細に示すフローチャート。
【図８】本発明に係るビデオ信号の垂直帰線消去期間とクローズド・キャプション信号とを示すグラフ。
【符号の説明】
１１…衛星アンテナ、１２…選局回路、１３…復調・誤り訂正回路、１４…パケット分離回路、１５…ＭＰＥＧデコード回路、１６…ＯＳＤ回路、１７…表示機器、１８…番組信号／ＣＣ復調回路、１９…マイクロコンピュータ、２０…番組信号重畳回路、２１…操作部、２２…記録再生機器、２３…視聴用出力端子、２４…録画用出力端子。
【図１】
0003668212.tif 000002
【図２】
0003668212.tif 000003
【図３】
0003668212.tif 000004
【図４】
0003668212.tif 000005
【図５】
0003668212.tif 000006
【図６】
0003668212.tif 000007
【図７】
0003668212.tif 000008
【図８】
0003668212.tif 000009